(57)【要約】【課題】テレビの視聴率をリアルタイムに収集可能にした視聴率情報送出器を提供する。【解決手段】テレビ視聴率情報送出器１は、信号受信部１ａ、信号解析部１ｂ、視聴状況データ生成部１ｃ、視聴状況データ送信部１ｄから構成されている。信号受信部１ａは、リモコン２から送信される前記信号を全て受信する。信号解析部１ｂは、信号受信部１ａから信号の情報が送信される毎に、その情報を受信して解析する。視聴状況データ生成部１ｃは、信号解析部１ｂで情報が解析された情報を受信して、視聴状況データを生成する。視聴状況データ送信部１ｄは、視聴状況データ生成部１ｃで視聴状況データが生成された視聴状況データを受信して、通信装置３に送信する。通信装置３はネットワークを介してサーバに視聴状況データを送信する。【選択図】    図１
2005167907.tif 000002
【特許請求の範囲】
【請求項１】
視聴者が放送を受信するテレビと、前記テレビを操作するための信号を送信するリモコンと、前記テレビの視聴状況データを作成するテレビ視聴情報送出器と、前記テレビ視聴情報送出器から送信される前記視聴状況データを受信し、ネットワークを介してサーバに前記視聴状況データを送信する通信装置と、を備えたテレビ視聴率調査システムにおいて、
前記テレビ視聴情報送出器は、
前記リモコンから送信される前記信号を全て受信する信号受信部と、
前記信号受信部から前記信号の情報が送信される毎に、前記情報を受信して解析する信号解析部と、
前記信号解析部で解析された情報を受信して、視聴状況データを生成する視聴状況データ生成部と、
前記視聴状況データ生成部で生成された前記視聴状況データを受信して、前記通信装置に送信する視聴状況データ送信部と、
を備えたことを特徴とするテレビ視聴率調査システム。
【請求項２】
前記ネットワークはインターネットプロトコルで通信を行う通信ネットワークであり、
前記テレビ視聴情報送出器はＩＰ端末であり、
前記通信装置は、前記ネットワークに常時接続可能なブロードバンドルータであり、前記テレビ視聴情報送出器にＩＰアドレスを付与する手段を備えたことを特徴とする請求項１に記載のテレビ視聴率調査システム。
【請求項３】
前記テレビ視聴情報送出器は、前記視聴状況データを生成する際に、前記視聴状況データのヘッダにタイムスタンプ及び前記サーバの参照情報並びに前記テレビ視聴情報送出器の識別情報を付与することを特徴とする請求項１に記載のテレビ視聴率調査システム。
【請求項４】
前記サーバは、
前記通信装置から前記ネットワークを介して前記視聴状況データを受信する手段と、
受信した前記視聴状況データをデータベースに保存する手段と、
前記データベースに保存された前記視聴状況データを読み出し、読み出した前記視聴状況データを加工して視聴率チャート情報を作成し、前記ネットワークを介して前記視聴率チャート情報を配信する手段と、
を備えたことを特徴とする請求項１に記載のテレビ視聴率調査システム。
【請求項５】
前記サーバから配信される前記視聴率チャート情報を受信する手段と、
受信した前記視聴率チャート情報に基づいて画面に表示をする手段と、
を備えた視聴率チャート表示装置をさらに有することを特徴とする請求項１に記載のテレビ視聴率調査システム。
【請求項６】
前記サーバのデータベースから視聴率データを読み出す手段と、
読み出した前記視聴率データから視聴率レポートを作成及び保存する手段と、
を備えた視聴率データファイル管理装置をさらに有することを特徴とする請求項１に記載のテレビ視聴率調査システム。
【請求項７】
テレビを操作するための信号を送信するリモコンから前記信号を全て受信する過程と、
前記信号の情報を受信する毎に、前記情報を解析する過程と、
前記情報が解析される毎に、解析後の情報から視聴状況データを生成する過程と、
前記視聴状況データが生成される毎に、前記視聴状況データを通信装置を介して前記視聴状況データを収集するサーバに送信する過程と、
からなることを特徴とする視聴状況データ収集方法。
【請求項８】
テレビを操作するための信号を送信するリモコンから前記信号を受信して視聴状況データを作成するテレビ視聴情報送出器のコンピュータに、
前記リモコンから送信される前記信号を全て受信する手順、
前記信号の情報を受信する毎に、前記情報を解析する手順、
前記情報が解析される毎に、解析後の前記情報から視聴状況データを生成する手順、
前記視聴状況データが生成される毎に、前記視聴状況データを通信装置を介して前記視聴状況データを収集するサーバに送信する手順、
を実行させるコンピュータプログラム。
【発明の詳細な説明】
【技術分野】
【０００１】
本発明は、テレビ視聴率調査システム及び視聴状況データ収集方法並びにそのコンピュータプログラムに関する。
【背景技術】
【０００２】
従来のオンライン視聴率調査システムは、非特許文献１に示すように各家庭に設置された視聴率メーターが視聴状況データを収集及び蓄積して、１日１回発呼してサーバに接続し、サーバが視聴率データを収集する方式である。
【非特許文献１】株式会社ビデオリサーチ、“視聴率調査３つの調査方法”、[online]、[平成１５年１１月２０日検索]、インターネット<URL:http://www.videor.co.jp/rating/wh/02.htm>
【発明の開示】
【発明が解決しようとする課題】
【０００３】
そのため、従来技術では、放送した番組の視聴率を知るには翌日まで待たなければならないという問題がある。また、従来技術の視聴率メーターは視聴状況データを１分おきに定期取得する方式であるため、番組内容と視聴率の詳細な対比を調べようとしても、１分未満の時間的分解能は得られないという問題がある。
【０００４】
本発明は、上記問題を解決すべくなされたもので、その目的は、リアルタイムに視聴率データを収集し、収集したデータを番組放送に合わせて参照することを可能とするテレビ視聴率調査システムを提供することにある。
【課題を解決するための手段】
【０００５】
請求項１に記載の発明は、視聴者が放送を受信するテレビ（例えば、実施の形態のテレビ４）と、前記テレビを操作するための信号を送信するリモコン（例えば、実施の形態のリモコン２）と、前記テレビの視聴状況データを作成するテレビ視聴情報送出器と、前記テレビ視聴情報送出器（例えば、実施の形態のテレビ視聴情報送出器１）から送信される前記視聴状況データを受信し、ネットワーク（例えば、実施の形態のインターネット６）を介してサーバに前記視聴状況データを送信する通信装置（例えば、実施の形態の通信装置３及びブロードバンドルータ３ａ）と、を備えたテレビ視聴率調査システムにおいて、
前記テレビ視聴情報送出器は、前記リモコンから送信される前記信号を全て受信する信号受信部（例えば、実施の形態の信号受信部１ａ）と、前記信号受信部から前記信号の情報が送信される毎に、前記情報を受信して解析する信号解析部（例えば、実施の形態の信号解析部１ｂ）と、前記信号解析部で前記情報が解析された情報を受信して、視聴状況データを生成する視聴状況データ生成部（例えば、実施の形態の視聴状況データ生成部１ｃ）と、前記視聴状況データ生成部で生成された前記視聴状況データを受信して、前記通信装置に送信する視聴状況データ送信部（例えば、実施の形態の視聴状況データ送信部１ｄ）と、を備えたことを特徴とするテレビ視聴率調査システムである。
【０００６】
請求項２に記載の発明は、請求項１に記載の発明において、前記ネットワークはインターネットプロトコルで通信を行う通信ネットワークであり、前記テレビ視聴情報送出器はＩＰ（Ｉｎｔｅｒｎｅｔ  Ｐｒｏｔｏｃｏｌ）端末であり、前記通信装置は、前記ネットワークに常時接続可能なブロードバンドルータであり、前記テレビ視聴情報送出器にＩＰアドレスを付与する手段を備えたことを特徴とする。
【０００７】
請求項３に記載の発明は、請求項１に記載の発明において、前記テレビ視聴情報送出器は、前記視聴状況データを生成する際に、前記視聴状況データのヘッダにタイムスタンプ及び前記サーバの参照情報並びに前記テレビ視聴情報送出器の識別情報を付与することを特徴とする。
【０００８】
請求項４に記載の発明は、請求項１に記載の発明において、前記サーバ（例えば、実施の形態のフロントエンドサーバ７及びアプリケーションサーバ８並びに視聴率チャートリアルタイム配信サーバ１０）は、前記通信装置から前記ネットワークを介して前記視聴状況データを受信する手段と、受信した前記視聴状況データをデータベース（例えば、実施の形態のデータベースサーバ１１）に保存する手段と、前記データベースに保存された前記視聴状況データを読み出し、読み出した前記視聴状況データを加工して視聴率チャート情報を作成し、前記ネットワークを介して前記視聴率チャート情報を配信する手段と、を備えたことを特徴とする。
【０００９】
請求項５に記載の発明は、請求項１に記載の発明において、前記サーバから配信される前記視聴率チャート情報を受信する手段と、受信した前記視聴率チャート情報に基づいて画面に表示をする手段と、を備えた視聴率チャート表示装置（例えば、実施の形態の視聴率チャート表示用パソコン１２）をさらに有することを特徴とする。
【００１０】
請求項６に記載の発明は、請求項１に記載の発明において、前記サーバのデータベースから視聴率データを読み出す手段と、読み出した前記視聴率データから視聴率レポートを作成及び保存する手段と、を備えた視聴率データファイル管理装置（例えば、実施の形態の視聴率データファイル管理サーバ９）をさらに有することを特徴とする。
【００１１】
請求項７に記載の発明は、テレビを操作するための信号を送信するリモコンから前記信号を全て受信する過程と、前記信号の情報を受信する毎に、前記情報を解析する過程と、前記情報が解析される毎に、解析後の情報から視聴状況データを生成する過程と、前記視聴状況データが生成される毎に、前記視聴状況データを通信装置を介して前記視聴状況データを収集するサーバに送信する過程と、からなることを特徴とする視聴状況データ収集方法である。
【００１２】
請求項８に記載の発明は、テレビを操作するための信号を送信するリモコンから前記信号を受信して視聴状況データを作成するテレビ視聴情報送出器のコンピュータに、前記リモコンから送信される前記信号を全て取得する手順、前記信号の情報を受信する毎に、前記情報を解析する手順、前記情報が解析される毎に、解析後の情報から視聴状況データを生成する手順、前記視聴状況データが生成される毎に、前記視聴状況データを通信装置を介して視聴状況データを収集するサーバに送信する手順、を実行させるコンピュータプログラムである。
【発明の効果】
【００１３】
以上説明したように、この発明によれば、リモコンの信号を全て受信して、信号を解析し、視聴状況データを生成して、通信装置を介して視聴状況データを収集するサーバに送信する処理を連続して行う構成になっているため、番組放送中に少ない遅延で視聴状況データを収集できる効果があり、また、視聴者のリモコン操作を全てデータとして取得していることから、視聴率の解析において時間的分解能を高める効果がある。
【００１４】
また、本発明によれば、サーバが、ネットワークを介して視聴状況データを受信し、視聴率チャートを作成し、放送事業者等の視聴率データの参照者の端末にネットワークを介して配信する処理までが連続して行われる構成となっているため、視聴率データの参照者に対して、視聴状況データの受信後、少ない遅延で視聴率チャートデータを提供することが可能となり、上記の視聴情報送出器と組み合わせることで、番組放送に平行して視聴率の変化を参照することが可能となる効果がある。
【発明を実施するための最良の形態】
【００１５】
以下、本発明の一実施形態によるテレビ視聴率調査システムを図面を参照して説明する。
図１は、この発明の一実施形態によるテレビ視聴情報送出器の構成を示す概略ブロック図である。テレビ視聴情報送出器１は、テレビを操作するリモコン２からリモコン信号を受信する信号受信部１ａと、信号受信部１ａで受信したリモコン信号を解析する信号解析部１ｂと、解析後のリモコン信号から視聴状況データを生成する視聴状況データ生成部１ｃと、視聴状況データを通信装置３に送信する視聴状況データ送信部１ｄとから構成されている。リモコン２から送信されるリモコン信号とは、具体的には電源ＯＮ／ＯＦＦ及びチャンネル情報であり、この信号を信号受信部１ａで全て受信することにより、現在のテレビの受信状態を把握することになる。信号解析部１ｂは、信号受信部１ａで受信した信号を解析し、視聴状況データ生成部１ｃで処理が可能な情報に変換する。視聴状況データ生成部１ｃは、信号解析部１ｂから取得した情報を、視聴状況データのフォーマットに変換する。視聴状況データ生成部１ｃは、視聴状況データを生成する際に、タイムスタンプ及びサーバの参照状況であるＵＲＬ（Ｕｎｉｆｏｒｍ  Ｒｅｓｏｕｒｃｅ  Ｌｏｃａｔｏｒ）及びテレビ視聴情報送出器１の本体を示す識別情報（具体的にはＣｏｏｋｉｅ）を付与して、視聴状況データ送信部１ｄへ転送する。視聴状況データ送信部１ｄは、視聴状況データを通信装置３に送信し、通信装置３が視聴状況データを収集しているサーバへ視聴状況データを送信する。
上記のように、テレビ視聴情報送出器１は、リモコン２から信号を全て受信して、通信装置３に視聴状況データを送信するまでの一連の処理を、途中でデータを蓄積することなく、連続して処理することが特徴である。
【００１６】
図２は、本発明の一実施形態によるテレビ視聴率調査システムであり、テレビの視聴状況を収集する装置が設置された一般視聴者宅２０と、視聴状況の情報を一般視聴者宅２０から収集するサーバが設置された視聴率調査会社２１と、視聴率調査会社２１の顧客、例えば放送事業者が、視聴率調査会社２１から視聴率データの配信を受けてそれを参照する端末が設置されたクライアント２２から構成されている。また、その３ヶ所に設置される装置はインターネット６により相互に接続されている。
視聴者がリモコン２を操作して、テレビ４のチャンネル変更等を行うと、リモコン２の信号はまず、テレビ視聴情報送出器１で受信される。テレビ視聴情報送出器１は、信号を受信するとテレビ４にその信号を中継する一方で、その信号を解析して、視聴状況データを生成する。ブロードバンドルータ３ａは、予めパソコン５によりＩＰアドレス等の環境情報が設定されており、インターネット６へ常時接続可能な状態で設置されている。テレビ視聴率情報送出器１はインターネットプロトコルにより通信可能な装置であり、起動時にブロードバンドルータ３ａからＩＰアドレスを取得しており、生成した視聴状況データをＩＰ通信により、ブロードバンドルータ３ａ及びインターネット６を介して、視聴率調査会社２１のサーバに視聴状況データの送信を開始する。
【００１７】
視聴率調査会社２１のフロントエンドサーバ７は、一般視聴者宅２０のテレビ視聴情報送出器１から視聴状況データ送信の前に通信セッション開始の要求を受けると、アプリケーションサーバ８のＩＰアドレスを含んだメッセージをテレビ視聴情報送出器１へ応答する。そして、テレビ視聴情報送出器１は、アプリケーションサーバ８の間で通信のセッションを設定し、ブロードバンドルータ３ａとインターネット６とフロントエンドサーバ７を介して視聴状況データをアプリケーションサーバ８に送信する。視聴状況データを受信したアプリケーションサーバ８は、そのデータをデータベースサーバ（以下、ＤＢサーバ）１１に保存する。
視聴率データファイル管理サーバ９は、ＤＢサーバ１１から定期的に視聴状況データを読み出し、視聴率レポートを作成するサーバである。視聴率レポートには、日報、週報、月報、季報、年報、個人視聴情報報告書がある。
視聴率チャートリアルタイム配信サーバ１０は、番組放送に従って蓄積される視聴状況データをＤＢサーバ１１から読み出し、視聴状況データを視聴率チャートのデータに加工して、リアルタイムにクライアント２２の視聴率チャート表示用パソコン１２に視聴率チャートデータを配信するサーバである。
クライアント２２の視聴率チャート表示用パソコン１２には、視聴率チャートリアルタイム配信サーバ１０から配信される視聴率チャートのデータを受信して、画面に表示するソフトウェアがインストールされている。そのソフトウェアは、所定の間隔で配信されてくる視聴率チャートのデータを受信して、画面を更新する。それにより、クライアント２２は、視聴率の変化を参照することができる。
【００１８】
図３は、視聴率チャートのデータの配信の処理を示したシーケンス図である。視聴率チャート閲覧用パソコン１２は、視聴率チャートのデータ配信のリクエストをフロントエンドサーバ７に送信する（ステップＳ１）。リクエストを受信したフロントエンドサーバ７はデータ配信レスポンスを返信すると共に、視聴率チャートリアルタイム配信サーバ１０のＩＰアドレスを含んだデータ配信レスポンスを応答する（ステップＳ２）。応答メッセージを受信した視聴率チャート閲覧用パソコン１２は、受信したメッセージから視聴率チャートリアルタイム配信サーバ１０のＩＰアドレスを取得し、視聴率チャートデータ配信をソケット通信で行う要求を視聴率チャートリアルタイム配信サーバ１０に送信する（ステップ３）。視聴率チャートデータ配信要求を受信した視聴率チャートリアルタイム配信サーバ１０は、視聴率チャート閲覧用パソコン１２との間に通信セッションを確立する（ステップＳ４）。
次に、視聴率チャート閲覧用パソコン１２は、フロントエンドサーバ７に、ユーザＩＤとパスワードを送信する（ステップＳ５）。ユーザＩＤ、パスワードに問題が無ければフロントエンドサーバ７は、認証応答をする（ステップＳ６）。認証された視聴率チャート閲覧用パソコン１２は、フロントエンドサーバ７に番組チャネルリスト要求を送信する（ステップ７）番組チャネルリスト要求を受信したフロントエンドサーバ７は、番組チャネルリストを送信する（ステップＳ８）。番組チャネルリストを受信した視聴率チャート閲覧用パソコン１２は、画面上に番組チャネルリストを表示し、参照する番組に該当するリンクが選択されると、チャート表示ソフトが起動する（ステップ９）。ソフトウェアの起動後に、視聴率チャート閲覧用パソコン１２は、参照する番組の情報を含んだ視聴率チャートデータ配信要求を視聴率チャートリアルタイム配信サーバ１０に送信する（ステップＳ１０）。視聴率チャートデータ配信要求を受信した視聴率チャートリアルタイム配信サーバ１０は、受信したメッセージに含まれる番組情報に該当する番組の視聴率チャートデータを配信する（ステップＳ１１）。視聴率チャートデータを受信した視聴率チャート閲覧用パソコン１２は、視聴率チャートを画面上で表示する（ステップＳ１２）その後、視聴率チャート閲覧用パソコン１２は、所定の間隔で視聴率チャートデータ配信要求を視聴率チャートリアルタイム配信サーバ１０に送信し（ステップＳ１３）、視聴率チャートリアルタイム配信サーバ１０は、最新の視聴率チャートデータを配信する（ステップＳ１４）。最新の視聴率チャートデータを受信した視聴率チャート閲覧用パソコン１２は、画面上の視聴率チャートを更新する（ステップＳ１５）。ステップＳ１４とステップＳ１５の処理が、視聴率チャートデータの参照を終了するまで継続される。
【００１９】
上述のテレビ視聴率調査システムの各装置は内部に、コンピュータシステムを有している。そして、上述したテレビ視聴情報送出器１の信号受信部１ａ、信号解析部１ｂ、視聴状況データ生成部１ｃ、視聴状況データ送信部１ｄの処理過程は、プログラム形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【図面の簡単な説明】
【００２０】
【図１】本発明の一実施形態であるテレビ視聴情報送出器のブロック図である。
【図２】本発明の一実施形態であるテレビ視聴率調査システムのブロック図である。
【図３】本発明の一実施形態である視聴率チャートデータ配信及び表示の過程を示すシーケンス図である。
【符号の説明】
【００２１】
１    テレビ視聴情報送出器
２    リモコン
３    通信装置
１ａ  信号受信部
１ｂ  信号解析部
１ｃ  視聴状況データ生成部
１ｄ  視聴状況データ送信部
【図１】
2005167907.tif 000003
【図２】
2005167907.tif 000004
【図３】
2005167907.tif 000005